(57)【要約】【課題】運転席と助手席との間に設けられる自動車用コンソールボックスであって、運転席と助手席との間の大きなスペースをプロテクタで占有することで、走行中の急停止時における後席乗員の確実な保護を図る。【解決手段】ボックス本体２０の後縁に緩衝作用をもつリッド３０を回動可能に取り付け、リッド３０を起立させた状態でサポートロッド３１により起立状態を保持してプロテクタ機能をもたせる。また、ボックス本体２０の後端面２０ａに別物のプロテクタ４０を重合格納し、後縁に起立状態となるように起倒可能に取り付け、プロテクタ４０を起立状態でサポートロッド５０により保持させる。プロテクタ４０を起立させて、リッド３０内面に収納したテーブル６０を引き出し用開口２４から引き出し可能とするか、あるいはボックス本体２０の後端面２０ａに格納したスタンド式のテーブル７０を使用可能とする。【選択図】図４
2005306223.tif 000002
【特許請求の範囲】
【請求項１】
運転席（１）と助手席（２）との間のスペースに配設される自動車用コンソールボックス（１０）であって、この自動車用コンソールボックス（１０）は、上面を開口したボックス本体（２０）と、このボックス本体（２０）の上面開口（２１）を蓋する開閉式のリッド（３０）とから構成され、このリッド（３０）は、ボックス本体（２０）の後端縁にヒンジ部（３２）を介して前後方向に回動可能に取り付けられ、かつリッド（３０）の起立状態を保持するサポート部材（３１）が設けられており、起立状態のリッド（３０）を後席乗員に対するプロテクタとして作用させることを特徴とする自動車用コンソールボックス。
【請求項２】
運転席（１）と助手席（２）との間のスペースに配設される自動車用コンソールボックス（１００）であって、この自動車用コンソールボックス（１００）は、上面を開口したボックス本体（２０）と、この上面開口（２１）を蓋する開閉式のリッド（３０）と、ボックス本体（２０）の後端面（２０ａ）に重合状に格納され、ボックス本体（２０）後部上縁にヒンジ部を介して上方に起倒可能に取り付けられたプロテクタ（４０）と、このプロテクタ（４０）の起立状態を保持するサポート部材（５０）とから構成されていることを特徴とする自動車用コンソールボックス。
【請求項３】
前記リッド（３０）の内面にテーブル（６０）が引き出し可能に収納され、かつリッド（３０）は、ボックス本体（２０）の左右側縁部に設けたヒンジ部（２５）を介して左右方向に回動可能に取り付けられており、更に、リッド（３０）内面に収納されたテーブル（６０）は、ボックス本体（２０）の後端面（２０ａ）に設けた引き出し用開口（２４）を通して後席側に引き出され、この引き出し用開口（２４）は、プロテクタ（４０）の格納時にはプロテクタ（４０）により隠されることにより、プロテクタ（４０）の起立時にのみ、テーブル（６０）が引き出し可能となることを特徴とする請求項２に記載の自動車用コンソールボックス。
【請求項４】
前記ボックス本体（２０）の後端面（２０ａ）にスタンド式のテーブル（７０）が起倒可能に取り付けられ、ボックス本体（２０）の後端面（２０ａ）に格納されたスタンド式のテーブル（７０）の表面を覆うようにプロテクタ（４０）が起倒可能にボックス本体（２０）の後端面（２０ａ）に格納されることにより、プロテクタ（４０）の起立時にのみスタンド式のテーブル（７０）の使用が可能になることを特徴とする請求項２に記載の自動車用コンソールボックス。
【発明の詳細な説明】
【技術分野】
【０００１】
本発明は、運転席と助手席との間のスペースに設けられる自動車用コンソールボックスに係り、特に、コンソールボックスに後席乗員に対するプロテクタ機能を付与することで、快適な乗り心地を保証できる自動車用コンソールボックスに関する。
【背景技術】
【０００２】
通常、図１８に示すように、自動車室内の運転席側シート１と助手席側シート２との間のスペースにコンソールボックス３が設けられており、このコンソールボックス３は、上面を開口したボックス本体４に対してボックス本体４の上面開口を蓋するリッド５がボックス本体４の後端側のヒンジ部４ａを基に前後方向に回動可能に取り付けられている（例えば、特許文献１参照。）。
【０００３】
【特許文献１】特開平１０−３１５８６３号公報
【発明の開示】
【発明が解決しようとする課題】
【０００４】
しかしながら、従来のコンソールボックス３は、その上部に大きなスペースＳが形成されるため、例えば、子供が後席側に着座する場合、シートベルトを着用せず、また、一時的にシートベルトを外した時、走行中急停止すれば、後席側の子供が前のめりになる。例えば、運転席側シート１や助手席側シート２の真後ろであれば、これらシートのシートバック１ａ，２ａで身体を支えることは可能であるが、ほぼ中央にいた場合には、コンソールボックス３の上部に大きなスペースＳがあるため、子供の身体が前のめりになり、走行中の乗り心地が必ずしも満足のいくものではなかった。
【０００５】
更に、運転席側シート１や助手席側シート２のシートバック１ａ，２ａにスタンド式のテーブル等を設けることで、運転席側シート１や助手席側シート２の後方に着座する乗員がドリンク缶や小物等を上記テーブル上に載置することは可能であるが、後席の中央に着座する乗員にとっては前方は運転席側シート１と助手席側シート２との間の大きなスペースＳであるため、テーブルを設置することができず、使い勝手の面においても改良が望まれていた。
【０００６】
この発明は、上述した問題点に鑑みてなされたもので、本発明の目的とするところは、運転席側シートと助手席側シートとの間に設けられるコンソールボックスに後席乗員に対するプロテクタ機能を付与することで、例えば、急停止等で後席乗員が前のめりになっても確実に保護することができ、快適走行が保証できる自動車用コンソールボックスを提供することにある。
【０００７】
更に、本発明の更なる目的は、後席のほぼ中央に着座する乗員が便利に使用できるテーブルを付設することで、使い勝手を高めた自動車用コンソールボックスを提供することにある。
【課題を解決するための手段】
【０００８】
上記目的を達成するために、本発明者は、鋭意研究の結果、コンソールボックスのボックス本体の後部上縁にプロテクタを起立させることにより、運転席側シートと助手席側シート間の空間をこのプロテクタで占有することで、走行中の急停止等で後席乗員が前方に倒れ込んでもこのプロテクタで確実に保護できることに着目し、本発明を完成するに至った。
【０００９】
このプロテクタとしての一つの態様としては、既存のコンソールボックスのリッドを使用する構造と、既存のコンソールボックスに別物のプロテクタを付設する構造とがある。
【００１０】
まず、既存のコンソールボックスのリッドを使用するタイプは、運転席と助手席との間のスペースに配設される自動車用コンソールボックスであって、この自動車用コンソールボックスは、上面を開口したボックス本体と、このボックス本体の上面開口を蓋する開閉式のリッドとから構成され、このリッドは、ボックス本体の後端縁にヒンジ部を介して前後方向に回動可能に取り付けられ、かつリッドの起立状態を保持するサポート部材が設けられており、起立状態のリッドを後席乗員に対するプロテクタとして作用させることを特徴とする。
【００１１】
ここで、リッドは、プロテクタ機能を備えるためにリッド芯材の表面にクッション材を介して表皮で被包するか、あるいはクッション性を備えた厚みのある表皮でリッド芯材を被包する構成を採用するのが良い。
【００１２】
そして、リッドを起立状態で保持するサポート部材としては、ボックス本体にリッドを起立させた状態でボックス本体とリッドとの間にロッドの両端を固定するサポートロッドを使用する等、慣用の固定手段を使用することができる。
【００１３】
従って、この構成によれば、表面に緩衝性を有するリッドをボックス本体の後部上縁に起立保持することで、運転席と助手席との間の大きなスペースをこのリッドで占有することができ、走行中の急停止等で後席乗員が前のめりになっても、このリッドで確実に保護することができる。
【００１４】
また、コンソールボックスとは別体のプロテクタを使用する構造は、運転席と助手席との間のスペースに配設される自動車用コンソールボックスであって、この自動車用コンソールボックスは、上面を開口したボックス本体と、この上面開口を蓋する開閉式のリッドと、ボックス本体の後端面に重合状に格納され、ボックス本体後部上縁にヒンジ部を介して上方に起倒可能に取り付けられたプロテクタと、このプロテクタの起立状態を保持するサポート部材とから構成されていることを特徴とする。
【００１５】
ここで、プロテクタとしては、乗員が手をついた際の荷重に耐える必要があるため、好ましくは、ＰＰ樹脂等の剛性を有する芯材の表面にポリウレタンフォーム等の発泡樹脂成形体を介装し、それらの外表面を織布等の表皮により被包する構造が好ましい。
【００１６】
同様に、このプロテクタの起立状態を保持するサポート部材としては、起立状態のプロテクタとボックス本体とをロッドの両端で固定するサポートロッド構造を採用するのが好ましい。このサポートロッドは、その一方端側がボックス本体の側壁に軸支され、サポートロッドの他方端側をプロテクタの係止片に係止させることで、起立状態のプロテクタをロック保持することができる。尚、プロテクタ保持構造に慣用のロック手段を使用することができる。
【００１７】
従って、この構成によれば、プロテクタをボックス本体の後端面に格納した状態から上方に回動操作して、プロテクタを起立状態とし、このプロテクタの起立状態をサポート部材により保持することで、運転席と助手席との間の大きなスペースをこのプロテクタで占有することができ、走行中の急停止等で後席乗員が前のめりになってもこのプロテクタで確実に保護することができる。
【００１８】
更に、この発明の好ましい実施の態様は、前記リッドの内面にテーブルが引き出し可能に収納され、かつリッドは、ボックス本体の左右側縁部に設けたヒンジ部を介して左右方向に回動可能に取り付けられており、更に、リッド内面に収納されたテーブルは、ボックス本体の後端面に設けた引き出し用開口を通して後席側に引き出され、この引き出し用開口は、プロテクタの格納時にはプロテクタにより隠されることにより、プロテクタの起立時にのみ、テーブルが引き出し可能となることを特徴とする。
【００１９】
ここで、引き出し式のテーブルを内面に収容するリッドは、ボックス本体に対して左右側縁部をヒンジ部として、左右方向に沿って回動可能に取り付けられる。また、リッドの内面にテーブルを収納した状態でリッドとテーブルが一体的に左右側に回動可能となるように、リッド内面とテーブルとの間には、永久磁石片と金属片との磁性吸引構造か、あるいは爪係合構造等が採用されていることにより、テーブルがリッド内面に保持される。
【００２０】
そして、テーブルを引き出す際は、コンソールボックスにおけるボックス本体に回動可能に取り付けられているプロテクタを上方に回動操作して、ボックス本体の後部上縁に起立させることで、テーブルの引き出し用開口を露出させることができ、リッド内部に収納されているテーブルを後席乗員側に引き出すことができる。
【００２１】
従って、この態様によれば、テーブルを引き出し使用する際には、常にプロテクタは上方に起立した状態にあることが必要であるため、後席乗員がテーブルを使用する時には、常時プロテクタが設置された状態であり、安全が確実に保たれている。
【００２２】
また、本発明の好ましい実施の態様は、前記ボックス本体の後端面にスタンド式のテーブルが起倒可能に取り付けられ、ボックス本体の後端面に格納されたスタンド式のテーブルの表面を覆うようにプロテクタが起倒可能にボックス本体の後端面に格納されることにより、プロテクタの起立時にのみスタンド式のテーブルの使用が可能になることを特徴とする。
【００２３】
ここで、スタンド式のテーブルの保持機構としては、ボックス本体の後端面とテーブルとの間にスタンドが設けられ、このスタンドは、テーブルを起立状態とした時にロックされ、テーブルが保持されるとともに、格納する時は、このロック部を上方へ押し上げればロックが解除されて、テーブルを下方向に回動操作できる構造のものが良い。
【００２４】
従って、この態様によれば、スタンド式のテーブルを使用するには、まずプロテクタを起こして起立状態に保持した状態にする必要があるため、このスタンド式のテーブルを使用する際にも、常にプロテクタが起立状態で維持され、スタンド式のテーブル使用時においても、必ずプロテクタが設置された状態となる。
【発明の効果】
【００２５】
以上説明した通り、本発明に係る自動車用コンソールボックスは、ボックス本体の上面開口を蓋するリッドの製品表面に緩衝性を付与し、前後方向に回動可能に取り付け、かつ起立状態でサポート部材により保持するという構成を採用すれば、運転席側シートのシートバックと助手席側シートのシートバックとの間の大きなスペースを緩衝性をもつリッドにより塞ぐことができる。
【００２６】
また、本発明に係る自動車用コンソールボックスは、コンソールボックスにおけるボックス本体の後端面に別物のプロテクタを起倒自在に取り付け、ボックス本体の後部上縁にプロテクタを起立させた状態でサポート部材によりプロテクタを保持すれば、運転席側シートのシートバックと助手席側シートのシートバックとの間の大きなスペースをプロテクタにより塞ぐことができる。
【００２７】
従って、走行中の急停止等により、後席乗員が前のめりになってもリッドやプロテクタ等に手をついて身体を支えることができ、後席乗員の乗車姿勢を適正に維持できるとともに、乗員が手をついた際、リッドやプロテクタの緩衝性により衝撃等を有効に緩和することができるという効果を有する。
【００２８】
更に、本発明に係る自動車用コンソールボックスは、コンソールボックスに引き出し式のテーブルやスタンド式のテーブルを付設するという構成を採用すれば、後席のほぼ中央に着座する乗員に対してもテーブルの設置が可能となり、使い勝手を高めるとともに、特に、引き出し式のテーブル、あるいはスタンド式のテーブルを使用するには、プロテクタを起立状態にする必要があるため、テーブル使用時には常にプロテクタが起立状態となっており、安全性を確保した状態でのテーブルの使用が可能になることから、安全性を考慮しつつ使い勝手を高めることができるという効果を有する。
【発明を実施するための最良の形態】
【００２９】
以下、本発明に係る自動車用コンソールボックスの各実施例について、添付図面を参照しながら詳細に説明する。
【実施例１】
【００３０】
図１，図２は本発明の第１実施例を示すもので、既存のコンソールボックスを利用する実施例を示す。図面において、この自動車用コンソールボックス１０は、運転席側シート１と助手席側シート２との間に配設され、上面を開口したボックス本体２０と、このボックス本体２０の上面開口２１を蓋するリッド３０と、リッド３０の起立状態を保持するサポートロッド３１とから大略構成されている。
【００３１】
更に詳しくは、リッド３０は、製品表面に緩衝性を付与することができるように、ウレタンフォーム等のクッション材が介装され、更に、表面外観を高めるために、布地等の表皮で外表面を被包した構成が好ましく、リッド３０は、螺番等のヒンジ部３２を介して前後側に回動可能に支持されており、このリッド３０の図中左側面に係止片３３が設けられている。
【００３２】
また、ボックス本体２０の助手席側シート２に対向する面には、サポートロッド３１が支点３１ａを基に回動可能に取り付けられており、このサポートロッド３１の自由端側は、係止部３１ｂが形成され、リッド３０を後方側に向けて回動操作して、ほぼ鉛直方向に起立させた状態でリッド３０の係止片３３に上記係止部３１ｂが係止される。
【００３３】
上記コンソールボックス１０の使用形態について図２を基に説明する。通常時は、図２（ａ）に示すように、ボックス本体２０は、リッド３０により閉鎖されており、運転席側、あるいは助手席側から自由にリッド３０を前後方向に開け閉めすることができる。
【００３４】
そして、例えば、後席に子供等が搭乗した場合には、リッド３０をヒンジ部３２を介して図２（ｂ）に示すように略９０°回動した状態、すなわち起立状態でサポートロッド３１を支点３１ａを基に図２（ｂ）中矢印方向に回動させてサポートロッド３１の係止部３１ｂをリッド３０の係止片３３に係止することで、リッド３０を起立状態で保持することができる。
【００３５】
従って、リッド３０をサポートロッド３１により起立状態で保持することで、例えば、走行中の急停止等で後席に着座する乗員が前のめりになっても、リッド３０に手をつけば、身体を支えることができ、後席乗員は前席側に前のめりになることがなく、適正な着座姿勢を維持できるとともに、乗員が手をついた際、リッド３０の緩衝性により、衝撃等を有効に緩和することができる。尚、サポートロッド３１は、ボックス本体２０に回動可能に取り付けられているが、リッド３０側に回動可能に取り付けても良い。また、サポート手段としてサポートロッド３１以外のリッド３０の保持機構を採用することもできる。
【実施例２】
【００３６】
図３乃至図１３は、本発明の第２実施例を示すもので、図３は第２実施例におけるコンソールボックスを示す斜視図、図４は同コンソールボックスの構成を示す分解斜視図、図５は同コンソールボックスの側面図、図６，図７は同コンソールボックスにおけるリッドとテーブルとの関係を示す各断面図、図８は同コンソールボックスにおけるプロテクタの起立状態を示す斜視図、図９は同コンソールボックスにおけるテーブルの引き出し状態を示す斜視図、図１０は同コンソールボックスにおけるリッドの開放状態を示す斜視図、図１１は同コンソールボックスにおけるリッドの開放状態を示す断面図、図１２は同コンソールボックスにおけるプロテクタの起立時並びにテーブルの引き出し時におけるリッドの開放状態を示す斜視図、図１３は同断面図である。
【００３７】
この第２実施例における自動車用コンソールボックス１００は、図３，図４に示すように、備品を内部に収容できる上面を開口したボックス本体２０と、ボックス本体２０の上面開口２１を蓋するリッド３０と、ボックス本体２０の後端面２０ａに格納され、ボックス本体２０に対して起倒可能に取り付けられているプロテクタ４０と、このプロテクタ４０をその起立状態で保持するサポートロッド５０と、リッド３０内部に収納され、後席側に引き出し可能な引き出し式のテーブル６０とから構成されている。
【００３８】
図３は、コンソールボックス１００の外観図であり、プロテクタ４０の非使用時、また、リッド３０の閉鎖時を示しており、このコンソールボックス１００の全体構成を図４を基に説明する。まず、ボックス本体２０は、ＰＰ樹脂、ＡＢＳ樹脂等、汎用の合成樹脂の射出成形体を有底箱状に形成したもので、上面開口２１を備え、特に、ボックス本体２０の後部側は、上面開口２１の開口面より一段高い位置に段部２２が突設され、更に、段部２２上面の幅方向の中央部には、上方に向け突出する支持部２３が設けられている。
【００３９】
また、ボックス本体２０の後端面２０ａに格納支持されるプロテクタ４０は、乗員が手をついた際の荷重に耐え得る強度と、手をついた際の衝撃を緩和する緩衝性とを備えることが望ましいため、好ましくは、ＰＰ樹脂等、剛性に富む樹脂芯材の表面にポリウレタンフォーム等、クッション性に優れたパットを介装し、製品表面を織布、不織布、樹脂シート等の表皮で被包して構成するのが良い。
【００４０】
このプロテクタ４０は、ボックス本体２０の支持部２３に回動可能に軸受けできるように、支持部２３を収容する切欠き４１が一方縁（回転軸側）のほぼ中央に形成され、ヒンジピン４２を収容する軸孔４１ａが設けられている。このヒンジピン４２は、支持部２３の軸孔２３ａ内に一部が挿入される。従って、ボックス本体２０に対してプロテクタ４０は、ボックス本体２０の後端面２０ａに重合する状態から上方に向けて略１８０°回動可能に取り付けられている。
【００４１】
そして、このプロテクタ４０を起立状態で保持するために、第１実施例で使用したサポートロッド５０の支点５１がボックス本体２０の側面２０ｂに取り付けられており、このサポートロッド５０の自由端には、係止部５２が折曲形成されている。
【００４２】
次に、リッド３０は、第１実施例のように、プロテクタ機能が要求されないため、樹脂成形体単体、樹脂成形体の表面に布製表皮等を貼付した簡易構成のものが使用でき、この第２実施例では、テーブル６０をリッド３０内面に引き出し自在に収納する構成を採用しているため、リッド３０は、ボックス本体２０の左右縁部に左右方向に回動可能に取り付けられ、かつテーブル６０を収納状態で保持する機能を備えている。
【００４３】
すなわち、図４，図５に示すように、リッド３０の内面に永久磁石片３４が左右側に設けられており、リッド３０には、この永久磁石片３４に対応し、相互に磁性吸引する金属片６１がインサートされている。従って、リッド３０内へのテーブル６０を確実に収納した状態で、上記永久磁石片３４と金属片６１との磁性吸引力によりリッド３０はテーブル６０を一体的に保持した状態で左右方向に回動可能である。
【００４４】
また、図７に示すように、永久磁石片３４と金属片６１による磁性吸引作用に替えて、テーブル６０の両側を爪３５により係止して、テーブル６０をリッド３０内面に保持する形態を採用することもできる。
【００４５】
次に、図８以下を基に第２実施例におけるコンソールボックス１００の使用形態について説明する。まず、図３のプロテクタ４０格納位置からプロテクタ４０を上方に持ち上げ、ボックス本体２０の段部２２を基準として、段部２２からプロテクタ４０を起立状態になるまで回動操作し、サポートロッド５０を支点５１を基に回動操作し、サポートロッド５０の他端側の係止部５２をプロテクタ４０の係止片４３に係止することで、プロテクタ４０の起立状態を保持できる。
【００４６】
そして、図８に示すように、プロテクタ４０の起立状態を保持すれば、運転席側シート１と助手席側シート２の各シートバック１ａ，２ａの間の大きなスペースがこのプロテクタ４０により塞がれ、走行中の急停止等で後席側の乗員が前のめりになっても、このプロテクタ４０により確実に保護することができる。
【００４７】
更に、この第２実施例においては、プロテクタ４０により乗り心地を高めることに加えて、テーブル６０を後席側に引き出すことが可能に構成されている。すなわち、図８に示すように、プロテクタ４０を上方に回動操作し、サポートロッド５０によりプロテクタ４０を起立状態でロックした時、ボックス本体２０の後端面２０ａにテーブル６０の引き出し用開口２４が露出することになり、特に、引き出し用開口２４は、手を差し入れる差し入れスペース２４ａが形成され、引き出し用開口２４の内奥側にテーブル６０の引き出し端が位置しても、テーブル６０を容易に引き出すことができ、テーブル６０を引き出せば、カップ類や携帯電話等の備品をテーブル６０上に載置することができ、使い勝手に優れる。
【００４８】
そして、特に、第２実施例におけるコンソールボックス１００においては、テーブル６０を引き出し使用するには必ずプロテクタ４０を起立状態にする必要があり、常にプロテクタ４０が起立状態であるため、安全性を維持しつつ使い勝手を高めることができるという利点がある。
【００４９】
次に、図１０以下に基づいて、プロテクタ４０の非使用時及び使用時におけるリッド３０の開閉操作時の状態について説明する。図１０，図１１は、プロテクタ４０をボックス本体２０の後端面２０ａに格納した状態、すなわちプロテクタ４０の非使用状態におけるリッド３０の開閉操作を示すもので、後席側に乗員が着座していない場合等、ドライバーや助手席乗員がリッド３０を開閉操作するには、リッド３０及びボックス本体２０のヒンジ部２５を基に左右側にリッド３０を開放操作でき、この時、テーブル６０は、リッド３０の内面に保持され、リッド３０は内面にテーブル６０を保持した状態で開閉操作される。そして、ボックス本体２０の上面開口２１を開口することで、ドライバーや助手席乗員は、備品の取り出しを簡単に行なうことができる。
【００５０】
次に、図１２，図１３は、後席に乗員が着座している状態の時、プロテクタ４０を起立させ、サポートロッド５０により保持した状態でドライバーや助手席乗員がリッド３０を開閉操作する時の状態を示す。すなわち、図１２に示すように、テーブル６０を引き出した状態においては、テーブル６０とリッド３０との間に磁性吸引力が作用しないため、リッド３０をヒンジ部２５を基に左右側に回動操作した場合、リッド３０のみが回動し、テーブル６０は、このリッド３０の回動動作に影響されない。
【００５１】
また、リッド３０とテーブル６０との間に爪３５の係合による一体化構造を採用した場合には、テーブル６０を引き出しストローク一杯まで引き出した状態で爪３５の係合が解除される構成を採用すれば、テーブル６０の引き出し時においてもリッド３０の開閉操作が可能となる。
【実施例３】
【００５２】
図１４乃至図１７は、本発明に係る自動車用コンソールボックス２００の第３実施例を示す。この第３実施例におけるコンソールボックス２００は、図１４に示すように、第２実施例とほぼ同一構成であり、同一部分には同一符号を付しその説明は省略する。すなわち、第２実施例における引き出し式のテーブル６０に替えて、スタンド式のテーブル７０を採用したことが第３実施例の構成上の特徴である。
【００５３】
従って、プロテクタ４０をボックス本体２０の後端面２０ａに起倒可能に格納される構成及びプロテクタ４０を起立状態でサポートロッド５０を使用してロックする構成は第２実施例と同一であるが、ボックス本体２０の後端面２０ａにスタンド式のテーブル７０を配置する構成並びにリッド３０の構成について説明する。
【００５４】
すなわち、この第３実施例では、第２実施例のように、リッド３０はテーブルを一体的に保持する構成ではないので、リッド３０の構造を簡素化できるとともに、リッド３０の開閉方向は、左右側に限定されず、前後側に開閉方向を設定することもできる。
【００５５】
次いで、スタンド式のテーブル７０の構成について説明すると、この第３実施例においても、プロテクタ４０の非使用時には、プロテクタ４０によりボックス本体２０の後端面２０ａが覆われているため、スタンド式のテーブル７０もこのプロテクタ４０に覆われ、プロテクタ４０の起立時でないとスタンド式のテーブル７０は使用できない。
【００５６】
逆に、このスタンド式のテーブル７０を使用するには、必ずプロテクタ４０を起立状態、すなわち、図１５に示す状態を維持しなければならないことから、スタンド式のテーブル７０が使用できないことから、後席側に搭乗する乗員はプロテクタ４０を常に起立状態とする必要があることから、安全性が常に確保された状態となる。
【００５７】
また、このスタンド式のテーブル７０は、その上縁に設けたヒンジピン７１がボックス本体２０の後端面２０ａの軸受孔（図示せず）に収容保持されることでスタンド式のテーブル７０が上下方向に回動可能に取り付けられ、このテーブル７０を平行状態で支持するスタンド７２は、ロックアーム構造が使用されている。
【００５８】
すなわち、図１７に示す断面図から明らかなように、テーブル７０を水平状態で保持している時は、上下側アーム７３，７４はロック部７５でそれぞれ突っ張った状態でロックされており、このロック部７５を図１７中、矢印方向に押圧することで、上下側アーム７３，７４は、ロック部７５を基に折曲可能となり、点線で示すように、スタンド式のテーブル７０を折り畳むことができる。
【００５９】
従って、この第３実施例においても、ボックス本体２０の後端面２０ａにスタンド式のテーブル７０を設置することができるため、特に、後席側の中央に着座する乗員の使い勝手を高めることができるとともに、特に、スタンド式のテーブル７０を使用する時には、プロテクタ４０の起立状態が前提条件となるため、走行中の急停止等があっても、このプロテクタ４０により乗員を確実に保護することができ、安全性を考慮しつつ使い勝手を高めることができる。
【産業上の利用可能性】
【００６０】
以上説明した実施例１乃至実施例３は、緩衝性を備えたリッド３０、あるいはプロテクタ４０について、サポートロッド３１，５０でリッド３０やプロテクタ４０の起立状態を保持しているが、サポートロッド３１，５０に替えて、慣用のロックアーム構造でリッド３０やプロテクタ４０を支持するようにしても良い。
【００６１】
更に、ボックス本体２０の後端面２０ａに取り付けられるスタンド式のテーブル７０の保持構造としては、ロックアーム構造以外の慣用のロック機構を採用することもできる。
【図面の簡単な説明】
【００６２】
【図１】本発明に係るコンソールボックスの第１実施例を示す外観図である。
【図２】図１に示すコンソールボックスの使用形態を示す説明図である。
【図３】本発明に係るコンソールボックスの第２実施例を示す斜視図である。
【図４】図３に示すコンソールボックスの構成を示す分解斜視図である。
【図５】図３に示すコンソールボックスの側面図である。
【図６】図５中VI−VI線断面図である。
【図７】図３に示すコンソールボックスにおけるリッドとテーブルとの関係の変形例を示す断面図である。
【図８】図３に示すコンソールボックスにおけるプロテクタの起立状態を示す斜視図である。
【図９】図３に示すコンソールボックスにおけるテーブルの引き出し状態を示す斜視図である。
【図１０】図３に示すコンソールボックスにおけるリッドの開放状態を示す斜視図である。
【図１１】図１０に示すコンソールボックスにおけるリッドの開放状態を示す断面図である。
【図１２】図３に示すコンソールボックスのテーブル引き出し時におけるリッド開放状態を示す斜視図である。
【図１３】図１２に示すテーブル引き出し時におけるリッド開放状態時の構成を示す断面図である。
【図１４】本発明に係るコンソールボックスの第３実施例の構成を示す分解斜視図である。
【図１５】本発明に係るコンソールボックスの第３実施例におけるプロテクタの起立状態を示す斜視図である。
【図１６】本発明に係るコンソールボックスの第３実施例におけるテーブル使用時の状態を示す斜視図である。
【図１７】本発明に係るコンソールボックスの第３実施例におけるテーブル使用時の状態を示す断面図である。
【図１８】従来のコンソールボックスを示す説明図である。
【符号の説明】
【００６３】
１０，１００，２００  自動車用コンソールボックス
２０  ボックス本体
２０ａ  後端面
２０ｂ  側面
２１  上面開口
２２  段部
２３  支持部
２４  引き出し用開口
２５  ヒンジ部
３０  リッド
３１  サポートロッド
３２  ヒンジ部
３３  係止片
３４  永久磁石片
３５  爪
４０  プロテクタ
４１  切欠き
４２  ヒンジピン
４３  係止片
５０  サポートロッド
５１  支点
５２  係止部
６０  テーブル（引き出し式）
６１  金属片
７０  テーブル（スタンド式）
７１  ヒンジピン
７２  スタンド
７３，７４  上下側アーム
７５  ロック部
【図１】
2005306223.tif 000003
【図２】
2005306223.tif 000004
【図３】
2005306223.tif 000005
【図４】
2005306223.tif 000006
【図５】
2005306223.tif 000007
【図６】
2005306223.tif 000008
【図７】
2005306223.tif 000009
【図８】
2005306223.tif 000010
【図９】
2005306223.tif 000011
【図１０】
2005306223.tif 000012
【図１１】
2005306223.tif 000013
【図１２】
2005306223.tif 000014
【図１３】
2005306223.tif 000015
【図１４】
2005306223.tif 000016
【図１５】
2005306223.tif 000017
【図１６】
2005306223.tif 000018
【図１７】
2005306223.tif 000019
【図１８】
2005306223.tif 000020